(57)【要約】【課題】電池収納部品とプリント基板の間の位置ズレを防止し、且つこれら電池収納部品とプリント基板を容易に筐体内に組付けることのできる電子機器を提供する。【解決手段】電子機器１の筐体のフレーム１１内には、電池収納部品３１とプリント基板３２が取付けられている。電池収納部品３１とプリント基板３２には、互いの位置を合致させることにより電池収納部品３１とプリント基板３２相互間の位置決めを行う位置決め孔３３，３４が設けられている。前記フレーム１１には電池収納部品３１とプリント基板３２を支持する支持部３５が設けられ、該支持部３５には前記位置決め孔３３，３４に嵌合する円筒状のボス部３７が設けられている。ボス部３７を前記位置決め孔３３，３４に嵌合して、前記ボス部３７にネジ３８を螺合して、該ネジ３８の頭部３９と前記支持部３５の間で電池収納部品３１とプリント基板３２を挟着する。【選択図】  図９
2007073387.tif 000002
【特許請求の範囲】
【請求項１】
電池収納部品と基板を筐体内に組付けた電子機器において、
前記電池収納部品と基板は、相互が位置決めされた状態で前記筐体内に組付けられていることを特徴とする電子機器。
【請求項２】
前記電池収納部品と基板は、互いの位置を合致させることにより相互の位置決めを行う位置決め孔を備えていることを特徴とする請求項１に記載の電子機器。
【請求項３】
前記筐体は、その内部に前記電池収納部品と基板を支持する支持部を備え、該支持部は、互いの位置を合致させた前記電池収納部品と基板の位置決め孔に嵌合するボス部を備えていることを特徴とする請求項２に記載の電子機器。
【請求項４】
前記支持部は、前記筐体内に配置された金属フレームの一部を切り起こすことにより形成され、前記ボス部は、前記支持部に円筒状に切り起こし形成されていることを特徴とする請求項３に記載の電子機器。
【請求項５】
前記ボス部は、内周面にネジ溝が形成されていることを特徴とする請求項３に記載の電子機器。
【請求項６】
前記ボス部には、ネジが螺合され、該ネジの頭部と前記支持部の間で前記電池収納部品と基板が挟着されていることを特徴とする請求項５に記載の電子機器。
【発明の詳細な説明】
【技術分野】
【０００１】
本発明は、ＣＤ（コンパクトディスク）やＭＤ（ミニディスク）のディスク記録及び／又は再生装置やデジタルカメラ等の電池で作動させることができる電子機器に関するものである。
【背景技術】
【０００２】
電池で作動させる電子機器として各種の携帯式電子機器など種々のものが知られている。（例えば特許文献１、特許文献２、特許文献３）。
【０００３】
前記電子機器は、電池を収納するための電池収納部品が筐体内に取付けられていて、前記電池収納部品に収納された電池は、端子を介してプリント基板に接続される。ところで、この種の電子機器においては、例えば図１１に示すように、一般に電池収納部品１０１とプリント基板１０２は、ネジ１０３により別々に位置決めした状態で筐体内に組み付けられている。なお、前記電池収納部品１０１は、前記筐体内に配置された金属製のフレーム１０４を切り起こすことにより形成された電池収納部品支持部１０５上にネジ１０３で取付けられると共に、前記プリント基板１０２は、フレーム１０４に切り起こし形成された基板支持部１０６上にネジ１０３で取付けられている。
【特許文献１】特開平０６−３０９５２１号公報
【特許文献２】特開平０７−１３１３６１号公報
【特許文献３】特開２００１−２４３９３４号公報
【発明の開示】
【発明が解決しようとする課題】
【０００４】
ところで、図１１に示したように、電池収納部品とプリント基板を、ネジにより別々に位置決めした状態で筐体内に組み付ける電子機器にあっては、次に述べるような問題点があった。
（１）フレームに電池収納部品支持部と基板支持部を設けなければならない。また、前記電池収納部品支持部と基板支持部にそれぞれ電池収納部品とプリント基板をネジで取付けなければならないため、部品点数および組付け作業工程が増え、コストアップの要因になる。
（２）電池収納部品とプリント基板を別々に位置決めして取付けているために、電池収納部品とプリント基板との間に位置ズレが発生し易い。電池収納部品とプリント基板との間に位置ズレが発生すると、電池収納部品の端子をプリント基板に接続する際等に支障を来す虞がある。
【０００５】
本発明の目的は、電池収納部品とプリント基板の間の位置ズレを防止し、且つこれら電池収納部品とプリント基板を容易に筐体内に組付けることのできる電子機器を提供することにある。
【課題を解決するための手段】
【０００６】
本発明は、電池収納部品と基板を筐体内に組付けた電子機器において、前記電池収納部品と基板を、相互を位置決めした状態で前記筐体内に組付けた。前記電池収納部品と基板に、互いの位置を合致させることにより電池収納部品と基板相互の位置決めを行う位置決め孔を設けた。
【０００７】
前記筐体内に前記電池収納部品と基板を一緒に支持する支持部を設け、該支持部に、互いの位置を合致させた前記電池収納部品と基板の位置決め孔に嵌合するボス部を設けた。前記支持部を、前記筐体内に配置された金属フレームの一部を切り起こすことにより形成するとともに、前記ボス部を、前記支持部に円筒状に切り起こし形成した。前記ボス部を、円筒状に形成し、内周面にネジ溝を形成した。前記ボス部に、ネジを螺合し、該ネジの頭部と前記支持部の間で前記電池収納部品と基板を挟着した。
【発明の効果】
【０００８】
本発明の電子機器は、電池収納部品と基板を、相互を位置決めした状態で前記筐体内に組付けるので、これら電池収納部品と基板を筐体に取付けた状態で、電池収納部品と基板の間に位置ズレが発生するのを未然に防止することができる。特に、電池収納部品と基板に設けた位置決め孔の位置を合致させるという簡単な方法で、電池収納部品と基板の位置を合致させることができる。
【０００９】
前記筐体に、その内部に前記電池収納部品と基板を一緒に支持する支持部を設け、該支持部に、互いの位置を合致させた前記電池収納部品と基板の位置決め孔に嵌合するボス部を設けたので、電池収納部品と基板に設けた位置決め孔の位置を合致させた状態にして、これら電池収納部品と基板を支持部上に載せて、ボス部を、前記電池収納部品と基板の位置決め孔に嵌合するという簡単な方法で、電池収納部品と基板の位置決めと支持部への取付けを行うことができる。また、金属フレームの一部を切り起こすことにより支持部および円筒状のボス部を容易に形成することができる。前記ボス部の内周面にネジ溝を形成したので、該ボス部に、ネジを螺合することにより、該ネジの頭部と前記支持部の間で電池収納部品と基板を挟着して、これら電池収納部品と基板を確実に前記支持部に取付けることができる。
【発明を実施するための最良の形態】
【００１０】
図１は本発明の電子機器の斜視図、図２は電子機器を裏返した状態の斜視図、図３は蓋部を開いた状態の斜視図である。前記電子機器１は、ＭＤ（ミニディスク）の記録及び／又は再生を行うディスク記録及び／又は再生装置（以下、電子機器１をディスク記録及び／又は再生装置１と称する）として構成されている。
【００１１】
図１，図２に示すように、前記ディスク記録及び／又は再生装置１は、筐体本体部（ケース本体部）２と、蓋部３と、からなっていて、扁平な箱型形状に形成されている。
【００１２】
図３に示すように、蓋部３を開いて、該蓋部３の下面に設けたカートリッジホルダ４内にディスクカートリッジ（図示省略）を挿入すると、該ディスクカートリッジのシャッタが開かれ、前記蓋部３を閉じると、前記ディスクカートリッジ内に収納されている光磁気ディスクが前記筐体本体部２内に設けたディスク回転駆動機構のターンテーブルにチャッキングされる。そして、前記ディスク回転駆動機構で光磁気ディスクを回転させながら、光学ピックアップや磁気ヘッド等からなる記録及び／又は再生機構により、前記光磁気ディスクへの情報の記録および既に記録されている情報の再生が行われる。
【００１３】
前記筐体本体部２は、金属製の枠状のフレーム１１（図６参照）に底面パネル１２、側面パネル１３等を取り付けることにより構成されている。前記底面パネル１２の前面側にはヘッドホンジャック１４や蓋部オープン摘み１５等が設けられ、前記側面パネル１３側には外付け電池ケース用端子１６が配置されている。
【００１４】
前記蓋部３は、上面パネル２１と、該上面パネル２１の中央部に取り付けられた帯状部２２と、を備えている。図４に示すように、前記上面パネル２１の上面の前記帯状部２２を取り付ける部分２３は、周囲よりも一段凹んだ凹面状に形成されている。前記帯状部２２を取り付ける部分２３の長さ方向の両端部にはスリット２４が形成されていて、これらスリット２４には前記帯状部２２の長さ方向の両端部に設けた突片２５が挿入される。前記帯状部２２は、前記突片２５をスリット２４に挿入した状態で、両面テープや溶着等の方法により前記上面パネル２１に取り付けられ、図１に示すように、前記上面パネル２１の上面をＡ，Ｂ，Ｃの３つの部分に区切って、前記ディスク記録及び／又は再生装置１が恰も上記Ａ，Ｂ，Ｃの３つの部分から構成されているかのような外観を呈するようになっている。前記帯状部２２には、ロゴマーク等を表示したバッジ部２６が設けられている。また、図２に示すように、前記底面パネル１２の中央部で、且つ前記上面パネル２１に取り付けた帯状部２２に対応する位置には、前記上面パネル２１の上面と同様に帯状部２７が取り付けられていている。前記帯状部２７には、各種の操作ボタン２８が設けられている。
【００１５】
図６に示すように、前記フレーム１１内には電池収納部品３１とプリント基板３２が互いに位置決めされた状態で組み付けられている。前記電池収納部品３１は、直方体形状に形成されていて、図７に示すように、一端側の開口部３１ａから電池を収容するようになっている。図８に示すように、前記電池収納部品３１とプリント基板３２は、互いの位置を合致させることにより相互の位置決めを行う位置決め孔３３，３４を備えている。前記電池収納部品３１の位置決め孔３３は、前記電池収納部品３１の開口部３１ａ側の一側部から突出するアーム部３５に形成されている。
【００１６】
一方、前記フレーム１１は、前記電池収納部品３１とプリント基板３２を支持する支持部３６を備えている。前記支持部３６は、前記電池収納部品３１の位置決め孔３３と前記プリント基板３２の位置決め孔３４を合致させた状態で、これら位置決め孔３３，３４に嵌合するボス部３７を備えている。
【００１７】
前記支持部３６は、前記フレーム１１の一部を切り起こすことにより形成されている。また、前記ボス部３７は、前記支持部３６の一部をバーリング等の方法により円筒状に切り起こすことにより形成されている。
【００１８】
従って、図９に示すように、前記支持部３６上に前記プリント基板３２を載せて前記ボス部３７を前記プリント基板３２に設けた位置決め孔３４に嵌合すると共に、前記電池収納部品３１のアーム部３５を前記プリント基板３２上に重ね合わせて前記アーム部３５に設けた位置決め孔３３に前記ボス部３７を嵌合すると、該ボス部３７により前記電池収納部品３１と前記プリント基板３２は、互いに位置決めされた状態になる。
【００１９】
そして、図１０に示すように、前記ボス部３７に、ネジ３８を螺合して締め付ければ、前記ネジ３８の頭部３９と前記支持部３６の間で電池収納部品３１のアーム部３５とプリント基板３２を挟着し、これらを位置決めした状態で前記フレーム１１に取り付けることができるのである。なお、上記実施例では、前記電池収納部品３１とプリント基板３２を位置決め孔３３，３４とボス部３７により１箇所を位置決めして固定する場合を示したが、２箇所以上を位置決め孔３３，３４とボス部３７により位置決めして固定しても良い。また、上記実施例においては、電子機器として、ＭＤ（ミニディスク）の記録及び／又は再生を行うディスク記録及び／又は再生装置を例にとって説明したが、電子機器はディスク記録及び／又は再生装置に限定されるものではなく、デジタルカメラ等の撮像装置、携帯電話機、ゲーム機等の電池を電源として使用する電子機器に広く適用される。
【図面の簡単な説明】
【００２０】
【図１】本発明の電子機器の斜視図。
【図２】本発明の電子機器裏側から見た斜視図。
【図３】蓋部を開いた状態の斜視図。
【図４】蓋部の斜視図。
【図５】図１のａ−ａ断面図。
【図６】フレームに電池収納部品とプリント基板が取付けられている状態の斜視図。
【図７】フレームを裏返した状態の斜視図。
【図８】要部の分解斜視図。
【図９】位置決め孔にボス部を嵌合した状態の断面図。
【図１０】ボス部にネジを螺合した状態の断面図。
【図１１】従来例の斜視図。
【符号の説明】
【００２１】
１…ディスク記録及び／又は再生装置、２…筐体本体部（ケース本体部）、３…蓋部、１１…フレーム、３１…電池収納部品、３２…プリント基板、３３，３４…位置決め孔、３６…支持部、３７…ボス部、３８…ネジ、３９…ネジの頭部。
【図１】
2007073387.tif 000003
【図２】
2007073387.tif 000004
【図３】
2007073387.tif 000005
【図４】
2007073387.tif 000006
【図５】
2007073387.tif 000007
【図６】
2007073387.tif 000008
【図７】
2007073387.tif 000009
【図８】
2007073387.tif 000010
【図９】
2007073387.tif 000011
【図１０】
2007073387.tif 000012
【図１１】
2007073387.tif 000013